(57)【要約】      （修正有）【課題】同時接種数が多い場合でも、接種時に、部位誤接種を防止し、医師が意図したワクチンを意図した部位により確実に接種できる手段を提供する。【解決手段】板状物１と、板状物１の上面に複数の注射器４を独立して着脱可能に固定するための固定部２を有する注射器ホルダーを、固定された位置に応じて、注射器４が左右の上肢および左右の下肢のいずれかに用いられるべきことが、絵、図形、写真、文字および／または記号により示されるものとする。【選択図】図４
0003184481.tif 000002
【実用新案登録請求の範囲】
【請求項１】
板状物と、板状物の上面に複数の注射器を独立して着脱可能に固定するための固定部を有する注射器ホルダーであって、固定された位置に応じて、注射器が左右の上肢および左右の下肢のいずれかに用いられるべきことが、絵、図形、写真、文字および／または記号により示される、注射器ホルダー。
【請求項２】
固定部が、凹部を有し、凹部に注射器を保持することにより注射器を固定する、請求項１に記載の注射器ホルダー。
【請求項３】
凹部が、板状物の上面または端部に形成された溝によるものである、請求項２に記載の注射器ホルダー。
【請求項４】
凹部が、板状物の上面または端部に突出した凸部に形成された溝によるものである、請求項２に記載の注射器ホルダー。
【請求項５】
固定部が、粘着面を有し、粘着により注射器を固定する、請求項１に記載の注射器ホルダー。
【請求項６】
８個の注射器を固定できる、請求項１から５のいずれかに記載の注射器ホルダー。
【請求項７】
絵、図形および写真が四肢を有する動物を表す、請求項１から６のいずれかに記載の注射器ホルダー。
【請求項８】
動物がヒトである、請求項７に記載の注射器ホルダー。
【請求項９】
四肢の上に固定部が配置される、請求項７または８に記載の注射器ホルダー。
【請求項１０】
四肢の近傍に固定部が配置される、請求項７または８に記載の注射器ホルダー。
【請求項１１】
板状物および／または固定部が、紙製である、請求項１から１０のいずれかに記載の注射器ホルダー。
【請求項１２】
紙が、その表面にコーティング層を有する、請求項１１に記載の注射器ホルダー。
【請求項１３】
板状物および固定部が、一体成型される、請求項１から１２のいずれかに記載の注射器ホルダー。
【考案の詳細な説明】
【技術分野】
【０００１】
本考案は、注射前に注射器を配置するための注射器ホルダーに関する。より具体的には、ワクチンの同時接種時に、複数の注射器を接種部位ごとに分かれた状態を保持し、かつ使用時に簡便に注射器を手に取ることができる、注射器ホルダーに関する。
【背景技術】
【０００２】
小児科医療において、あらかじめ混合されていない２種類以上の予防接種を同時に同一の接種対象者に対して行う同時接種は、ワクチンの接種率の向上、ワクチンで予防される疾患から早期に守られる、保護者の経済的・時間的負担の軽減、医療者の時間的負担の軽減の点から、好ましい接種方法とされている（非特許文献１）。
【０００３】
同時接種の際、複数種類のワクチンを左右の上肢、下肢の各部位に分けて注射を行う。予防接種ガイドライン（非特許文献２）では、ワクチンの種類を誤ることのないよう、ワクチンの種類ごとに決まった色のラベルと、同じ色の予診票を用いることになっているが、ワクチンを左右の上肢、下肢のいずれかの部位に接種するかは、ＤＰＴ（ジフテリア、百日せき、破傷風）混合ワクチンのように上腕伸側接種推奨がある場合は左右のみを医師が決定し、そのような場合を除いて、基本的に、接種部位は接種時に同時に接種するワクチンの組み合わせを踏まえて、医師が決定する。同時に接種されるワクチンの種類は、多い時には９種類に及ぶ。
【先行技術文献】
【非特許文献】
【０００４】
【非特許文献１】「日本小児科学会の予防接種の同時接種に対する考え方」日本小児科学会  ２００３年
【非特許文献２】「予防接種ガイドライン」予防接種ガイドライン等検討委員会財団法人  予防接種リサーチセンター  ２００５年  改編  ２００８年
【考案の概要】
【考案が解決しようとする課題】
【０００５】
同時接種数が多い場合でも、接種時に、部位誤接種を防止し、医師が意図したワクチンを意図した部位により確実に接種できる手段が必要である。
現在、誤接種を防ぐ方法として、接種時に、複数種類の注射器を、接種部位ごとに分けてトレー上に配置する方法が行われているが、注射器トレー上に配置した後で注射器が動いて、接種部位ごとに分かれた状態が変動し、注射器の予定接種部位がわかりにくくなることがあった。
【課題を解決するための手段】
【０００６】
考案者らはこの点に鑑み鋭意研究を続けた結果、本考案に到達した。すなわち、本考案は、板状物と、板状物の上面に複数の注射器を独立して着脱可能に固定するための固定部を有する注射器ホルダーであって、固定された位置に応じて、注射器が左右の上肢および左右の下肢のいずれかに用いられるべきことが、絵、図形、写真、文字および／または記号により示される、注射器ホルダーである。
【考案の効果】
【０００７】
複数の注射器を接種部位ごとに分かれた状態が保持でき、かつ乳幼児の予防接種は限られた人数で短時間に接種を行わなければならない実情に合わせて使用時に手間のかからない簡便な手段を提供することができる。
【図面の簡単な説明】
【０００８】
【図１】板状物の上面に形成された溝に注射器を保持する固定部を有する、本考案の注射器ホルダーの一例である。
【図２】板状物の上面に突出した凸部に形成された溝に注射器を保持する固定部を有する、本考案の注射器ホルダーの一例である。
【図３】板状物の上面に突出した凸部に形成された溝に注射器を保持する固定部を有する、本考案の注射器ホルダーの別の一例である。
【図４】粘着面を有し、粘着により注射器を固定する固定部を有する、本考案の注射器ホルダーの一例である。
【考案を実施するための形態】
【０００９】
本考案は、板状物と、板状物の上面に複数の注射器を独立して着脱可能に固定するための固定部を有する注射器ホルダーであって、固定された位置に応じて、注射器が左右の上肢および左右の下肢のいずれかに用いられるべきことが、絵、図形、写真、文字および／または記号により示される、注射器ホルダーである。
【００１０】
固定部は、注射器を独立して着脱可能に固定することができるものであればよい。固定は、注射器が固定部から外れることなく、固定された位置に応じて、注射器が左右の上肢および左右の下肢のいずれかに用いられるべきことを示す状態が維持されればよく、僅かな回転および移動は許容される。固定部と接する注射器の部分は、いずれの部分でもよいが、注射筒の一部であることが好ましい。
【００１１】
固定部としては、凹部を有し、凹部に注射器を保持することにより注射器を固定する固定部、粘着面を有し、粘着により注射器を固定する固定部、挟持部を有し、挟持部に注射器を挟持することにより注射器を固定する固定部などが挙げられる。
【００１２】
固定部が凹部を有する場合、凹部は、板状物の上面または端部に形成された溝によるものでもよく、板状物の上面または端部に突出した凸部に形成された溝によるものでもよい。図１に示す注射器ホルダーにおいては、板状物の上面に形成された溝により注射器を保持する。また、図２、図３に示す注射器ホルダーにおいては、板状物の上面に突出した凸部に形成された溝により注射器を保持する。溝の上部は開放されていてもよく、開放されずに筒状や輪状の構造であってもよい。凹部への注射器の固定は、凹部が注射筒の一部または全部を保持することによって行われる。
【００１３】
固定部が板状物の上面に突出した凸部に形成された溝によるものである場合、１つの凸部あたり１つの注射器を固定するものであっても、１つの凸部に複数の注射器を固定するものであってもよい。図２に示す注射器ホルダーにおいては、１つの凸部に８つの注射器を固定するものであり、図３に示す注射器ホルダーにおいては、１つの凸部に４つの注射器を固定する。
【００１４】
固定部が粘着面を有する場合、粘着面は粘着剤により形成される。固定部が粘着面を有する場合の注射器ホルダーの具体例を図４に示す。粘着剤は注射器を着脱可能に固定することを妨げない限り公知のものが採用できる。このうち、繰り返し剥離可能であって剥離時に粘着剤が注射器に残らないものが好ましい。粘着による固定の場合、粘着面と注射器の接する面積が広いことが固定に有利であり、注射筒と粘着面が接するように固定することが好ましい。
【００１５】
固定部が挟持部を有する場合、板状物の上面に固定された挟持部により挟持される。挟持部としては、例えば、ばねの力により挟持するクリップが挙げられる。
固定部と接する注射器の部分は、いずれの部分でもよいが、注射筒の一部であることが好ましい。
【００１６】
固定部の数は、１つの注射器を固定できる固定部を１個として、例えば、注射筒の上部と下部の２か所を２つの部品で固定する場合は２つの部品からなる１組を１個と数えるとして、同時接種に用いられる注射器を固定できる２個以上の数があればよい。例えば、２ないし１０の偶数個であり、好ましくは４個または８個である。
【００１７】
固定された位置に応じて、注射器が左右の上肢および左右の下肢のいずれかに用いられるべきこと示す絵、図形および写真とは、例えば、四肢を有する動物を表すものである。かかる四肢を有する動物を表す絵、図形および写真の四肢の上またはその近傍に固定部を配置することで、注射器が左右の上肢および左右の下肢のいずれかに用いられるべきことが示される。四肢を有する動物は、図１、図３および図４のように、ヒトであることが好ましい。
【００１８】
固定された位置に応じて、注射器が左右の上肢および左右の下肢のいずれかに用いられるべきことを示す文字および記号とは、左右の上肢、左右の下肢を意味する文字および記号である。文字はいずれの言語の文字でもよいが、日本語または英語が好ましく、図１および図２のように、日本語であることがより好ましい。左右の上肢、左右の下肢を意味する文字および記号は、図１のように固定部が左右の上肢、左右の下肢に対応すること板状物に特定の配置をすることで示してもよく、図２のように、直接的に示してもよい。
【００１９】
絵、図形、写真、文字および記号は、注射器が用いられる部位として、左右の上肢および左右の下肢の両方を示すものであっても、左右の上肢のみまたは左右の下肢のみを示すものであってもよい。好ましくは、左右の上肢および左右の下肢の両方を示すものである。この場合、絵、図形および写真における、四肢を有する動物は、左右の上肢と左右の下肢いずれも有する。左右の上肢のみ、および左右の下肢のみの場合、絵、図形および写真における、四肢を有する動物は、注射器が用いられる部位を示す機能を果たす限り、左右の上肢を有する上半身のみ、および左右の下肢を有する下半身のみであっても、左右の上肢と左右の下肢の両方を有していてもよい。
【００２０】
絵、図形、写真、文字および記号は、単独で用いられても、複数を組み合わせて用いられてもよい。図１では図形と文字が組み合わせて用いられており、図２では文字のみ、図３、図４では絵のみが用いられている。
【００２１】
板状物および固定部の材料については、紙、樹脂、金属のいずれでもよい。紙または樹脂であることが好ましい。紙の場合、耐久性、耐水性の面から、表面にコーティング層を有することが好ましく、コーティング層は樹脂コーティング層であることが好ましい。板状物および固定部の材料は同一であっても、異なっていてもよい。板状物および固定部は、図１、図２および図３のように、一体で成形されてもよく、図４のように別々に成形され使用前に組み合せられてもよい。
【００２２】
本考案は、次の実施例に限定されるものではなく、請求の範囲の趣旨を逸脱しない限りにおいて、当業者の知識に基づく種々の変更が可能である。
【実施例】
【００２３】
以下、本考案の実施形態を、図面を参照しつつ説明する。
【００２４】
［実施例１］
図１は、板状物の上面に形成された溝に注射器を保持する固定部を有する、本考案の注射器ホルダーである。板状物１は、１枚のシートを箱状に組み立てることにより形成されている。注射器を保持するための固定部２は、スリット２ａ、２ｂを、破断部２ｄで破断し、折線２ｃおよび折線２ｆにより箱の空洞側に折り畳むことで形成される。端部２ｅは破断部２ｄで破断したスリット２ｂに対応する。空洞２ｇは箱内部の空洞を示す。
【００２５】
［実施例２］
図２は、板状物の上面に突出した凸部に形成された溝に注射器を保持する固定部を有する、本考案の注射器ホルダーである。板状物１を含む、１枚のシートの一端を、折線３ａ、３ｂ、３ｃで三角に折り曲げ、スリット３ｄに端部３ｅを挟みこんで固定し凸部３を形成する。シートには、あらかじめ穴があいており、折線３ａ、３ｂ、３ｃで三角に折り曲げると固定部２が形成されるようになっている。
【００２６】
［実施例３］
図３は、板状物の上面に突出した凸部に形成された溝に注射器を保持する固定部を有する、本考案の注射器ホルダーである。ヒトの絵が印刷された板状物１を含む、１枚のシートの一端を、実施例２と同様に、折線３ｆ、３ｇ、３ｈで三角に折り曲げ、スリット３ｉに端部３ｊを挟みこんで固定し凸部３を形成する。シートには、あらかじめ穴があいており、折線３ｆ、３ｇ、３ｈで三角に折り曲げると固定部２が形成されるようになっている。もう一端も同様にして凸部と固定部を形成することで、２つの凸部を有する注射器ホルダーとなる。
【００２７】
［実施例４］
図４は、粘着面を有し、粘着により注射器を固定する固定部を有する、本考案の注射器ホルダーである。板状物１に印刷されたヒトの絵の左右の手足上に各２個ずつ計８個の粘着面を有する固定部２が配置される。注射器４は固定部２上に固定される。
【産業上の利用可能性】
【００２８】
本考案は、ワクチンの同時接種において有用である。
【符号の説明】
【００２９】
１  板状物
２  固定部
３  凸部
４  注射器
【図２】
0003184481.tif 000003
【図１】
0003184481.tif 000004
【図３】
0003184481.tif 000005
【図４】
0003184481.tif 000006